(57)【要約】【課題】蓋体の位置決め精度を高めることができ、且つ、蓋体に衝撃が加わってもフックが破損し難い電子機器を提供する。【解決手段】本発明に係る電子機器は、電子部品を収容可能な収容部２１を有する筺体２０と、前記筺体の前記収容部を覆う蓋体４０と、を具え、前記蓋体の一端には、前記筺体に向けて伸びる杆状部材４２と、前記杆状部材の先端から外向きに突出した係止片４４と、を有するフック４１を有し、前記筺体は、前記蓋体を前記筺体に装着するときに前記フックが挿入される開口３１と、蓋体の装着状態にて前記係止片と係合する被係止部３４を有し、前記開口は、前記蓋体を前記筺体に装着するときに前記フックが通過する第１領域３２と、前記第１領域よりも開口幅が広く、前記蓋体が前記筺体に装着されて前記係止片が前記被係止部と係合したときに前記杆状部材が位置する第２領域３３と、を具える。【選択図】図６
2015037090.tif 000002
【特許請求の範囲】
【請求項１】
電子部品を収容可能な収容部を有する筺体と、
前記筺体の前記収容部を覆う蓋体と、
を具え、
前記蓋体の一端には、前記筺体に向けて伸びる杆状部材と、前記杆状部材の先端から外向きに突出した係止片と、を有するフックを有し、
前記筺体は、前記蓋体を前記筺体に装着するときに前記フックが挿入される開口と、蓋体の装着状態にて前記係止片と係合する被係止部を有し、
前記開口は、
前記蓋体を前記筺体に装着するときに前記フックが通過する第１領域と、
前記第１領域よりも開口幅が広く、前記蓋体が前記筺体に装着されて前記係止片が前記被係止部と係合したときに前記杆状部材が位置する第２領域と、
を具える、
電子機器。
【請求項２】
前記フック及び前記開口は複数形成され、少なくとも１の開口が前記第１領域と前記第２領域を含んでいる、
請求項１に記載の電子機器。
【請求項３】
複数の前記開口のうち、少なくとも両端に位置する開口が、前記第１領域及び前記第２領域から構成される、
請求項２に記載の電子機器。
【請求項４】
前記少なくとも両端に位置する開口の前記第２領域は、外端側が前記第１領域よりも膨出している、
請求項３に記載の電子機器。
【請求項５】
前記蓋体は、前記筺体の前記収容部が形成された面全体を覆うものであり、
前記蓋体の他端又は前記筺体の前記蓋体の他端と対向する端縁には、前記蓋体を引き剥がすための掛かり部が形成されている、
請求項１乃至請求項４の何れかに記載の電子機器。
【発明の詳細な説明】
【技術分野】
【０００１】
本発明は、スマートフォンや携帯電話機、携帯型音楽プレーヤなどの電子機器に関するものである。
【背景技術】
【０００２】
スマートフォン、携帯電話機、携帯型音楽プレーヤ、携帯型ゲーム機などの電子機器では、筺体の片面に表示部を有し、裏面にバッテリやメモリカードなどの収容室が形成されている。収容室は、バッテリやメモリカードの挿脱のために蓋体を着脱可能としている。
【０００３】
蓋体を複数のフックによって筺体に装着する電子機器が提案されている。
【０００４】
たとえば、特許文献１では、蓋体の下端側裏面よりフックを突設しており、筺体には、このフックが嵌まる開口が形成されている。蓋体は、斜め向きにフックを開口に差し込み、続いて蓋体を筺体側へ押し込むことで筺体に取り付けられる。特許文献１ではさらにその後、ロック部材によって蓋体を筺体から脱落不能となるようにしている。
【先行技術文献】
【特許文献】
【０００５】
【特許文献１】特開２００９−２９０８３２号公報
【発明の概要】
【発明が解決しようとする課題】
【０００６】
蓋体の装着時に、蓋体がぐらつくことを防止するために、フックと開口とのクリアランスは、できるだけ小さくすることが求められる。しかしながら、フックと開口とのクリアランスが小さいと、蓋体に衝撃が加わったときに、フックが開口縁に当たって破損することがある。
【０００７】
一方で、フックと開口とのクリアランスを大きくすると、装着過程において蓋体がぐらつくから、蓋体が上手く嵌らないことがある。また、蓋体の装着状態においても蓋体がぐらついてしまうこともある。その結果、たとえば防水型の電子機器であれば、その防水性能が低下してしまう。
【０００８】
本発明の目的は、蓋体の位置決め精度を高めることができ、且つ、蓋体に衝撃が加わってもフックが破損し難い電子機器を提供することである。
【課題を解決するための手段】
【０００９】
本発明に係る電子機器は、
電子部品を収容可能な収容部を有する筺体と、
前記筺体の前記収容部を覆う蓋体と、
を具え、
前記蓋体の一端には、前記筺体に向けて伸びる杆状部材と、前記杆状部材の先端から外向きに突出した係止片と、を有するフックを有し、
前記筺体は、前記蓋体を前記筺体に装着するときに前記フックが挿入される開口と、蓋体の装着状態にて前記係止片と係合する被係止部を有し、
前記開口は、
前記蓋体を前記筺体に装着するときに前記フックが通過する第１領域と、
前記第１領域よりも開口幅が広く、前記蓋体が前記筺体に装着されて前記係止片が前記被係止部と係合したときに前記杆状部材が位置する第２領域と、
を具える。
【発明の効果】
【００１０】
本発明に係る電子機器によれば、蓋体を装着するときにフックが第１領域を通過する際には第１領域とフックとのクリアランスが小さいから、筺体に対する蓋体の位置決め精度を高めることができる。
【００１１】
また、蓋体を装着した状態で、蓋体等に衝撃が加わったとしても、第２領域は開口幅を広くしているから、フックが開口の縁に当たり難く、フックの破損を低減できる。
【図面の簡単な説明】
【００１２】
【図１】図１は、本発明の一実施形態に係る電子機器の背面図である。
【図２】図２は、蓋体を筺体に装着する過程を示す電子機器の断面図である。
【図３】図３は、図１の線ＩＩＩ−ＩＩＩに沿う要部断面図である。
【図４】図４は、図３の線ＩＶ−ＩＶに沿う断面図である。
【図５】図５は、図３の丸囲み部Ｖの拡大図である。
【図６】図６は、図４の丸囲み部ＶＩの拡大図である。
【図７】図７は、図４の丸囲み部ＶＩの拡大図である。
【図８】図８は、図２の丸囲み部の拡大断面図であって、蓋体が図２のＡ位置にある状態におけるフックと開口の係合状態を示している。
【図９】図９は、図８の線ＩＸ−ＩＸに沿う断面図である。
【図１０】図１０は、図２の丸囲み部の拡大断面図であって、蓋体が図２のＢ位置にある状態におけるフックと開口の係合状態を示している。
【図１１】図１１は、図１０の線ＸＩ−ＸＩに沿う断面図である。
【図１２】図１２は、図２の丸囲み部の拡大断面図であって、蓋体が図２のＣ位置にある状態におけるフックと開口の係合状態を示している。
【発明を実施するための形態】
【００１３】
以下、本発明をスマートフォンに適用した実施形態について図面を参照しながら説明する。なお、本発明を適用可能な電子機器１０として、スマートフォン以外に、携帯電話機、ＰＤＡ（Personal  Digital  Assistant）、タブレット型端末、携帯型音楽プレーヤ、携帯型ゲーム機などを例示することができる。
【００１４】
図１は、本発明の一実施形態に係る電子機器１０の背面図、図２は、蓋体４０の開口３１を含む面内における電子機器１０の断面図であり、蓋体４０の装着過程を示している。図３は、筺体２０を構成するバックシャーシ３０と、バックシャーシ３０に装着された蓋体４０の図１の線ＩＩＩ−ＩＩＩに沿う断面図である。また、図４は、図３の線ＩＶ−ＩＶに沿う断面図である。
【００１５】
電子機器１０は、図１に示すように筺体２０の背面に蓋体４０が装着される。図２のＡに示すように、蓋体４０は、筺体２０の一方の端部に斜め向きにフックを開口（後述する）に差し込み、図２のＢ及びＣに示すように、蓋体４０を筺体２０に向けて矢印方向に押し込むことで筺体２０に装着される。
【００１６】
電子機器１０は、たとえば筺体２０の正面側に表示部１２や操作部１４（図２参照）が配備され、背面側に蓋体４０が着脱可能となっている。図示の実施例では、蓋体４０は、図１に示すように、筺体２０の背面全体を覆っている。なお、本実施形態では、説明をわかりやすくするために、蓋体４０側を背面と称するが、蓋体４０は、筺体２０の形状等に応じて、側面、正面、上面、下面の何れの位置に取り付けられるものであってもよい。
【００１７】
筺体２０は、図２に示すように、フロントシャーシ２０ａやミドルフレーム、外周フレームなどにより構成される。筺体２０の内部には、電子基板１６や通信、通話等に必要な種々の電子部品などが実装される。バックシャーシ３０は、側面から背面に向けて湾曲しつつ突出した形状とすることができ、突出した背面には、図２に示すように、蓋体４０によって覆われる位置にバッテリ５０、メモリカード、ＳＩＭ（Subscriber  Identity  Module）カードなどの電子部品を収容する収容部２１が凹設されている。
【００１８】
バックシャーシ３０は、図３及び図４において上側となる端部に、蓋体４０を着脱可能に装着する開口３１が形成されている。この開口３１は、図５乃至図７に示すように、後述する蓋体４０のフック４１が嵌まる空間である。また、バックシャーシ３０は、開口３１を形成する開口縁の奥側上端面が凹んでおり、蓋体４０の装着状態にてフック４１の係止片４４と係合する被係止部３４となっている。
【００１９】
開口３１は、図４、図６及び図７に示すように、バックシャーシ３０の内側となる第１領域３２と、バックシャーシ３０の外側となる第２領域３３を連続して形成している。第１領域３２に比して、第２領域３３は開口幅が広く形成される。詳細については後述する。
【００２０】
また、バックシャーシ３０の下端には、図１及び図４に示すように、蓋体４０の下側のフック４６が嵌まる開口２２が形成されている。開口２２，２２間には、蓋体４０をバックシャーシ３０から引き剥がす際に、ユーザの爪などを挿入する掛かり部２３を凹設している。
【００２１】
その他、図示はしないが、バックシャーシ３０の側面には、蓋体４０を装着したときに、蓋体４０の側内面を係止する複数の凹みが形成されている。また、バックシャーシ３０には、図１に示すように、ＵＳＢケーブルなどを接続するための端子部２４や、ボリュームなどの操作を行なうための操作ボタン２５が形成されている。端子部２４は、バックシャーシ３０の側端面を背面側に盛り上げて形成することができる。
【００２２】
上記したバックシャーシ３０に形成された開口３１，２２には、図３及び図４に示すように、蓋体４０のフック４６，４１が夫々嵌まり、蓋体４０を筺体２０に取り付けることができる。図５は、上側の開口３１と蓋体４０のフック４１との係合状態を示している。
【００２３】
この蓋体４０の具体的実施形態として、図１乃至図３に示すように、収容部２１だけでなく、バックシャーシ３０の背面の略全体を覆うものを例示できる。バックシャーシ３０の形状に合わせて、周縁が丸みを帯びている。
【００２４】
蓋体４０の上端又はその近傍には、前述のバックシャーシ３０の開口３１と対応する位置にフック４１が突設されている。図５乃至図７に示すように、フック４１は、蓋体４０からバックシャーシ３０に向けて伸びる杆状部材４２と、杆状部材４２の先端から外向きに突出した係止片４４を具える。図示の実施形態では、図６及び図７に示すように、杆状部材４２は断面略矩形であり、補強のためのリブ４３が係止片４４とは逆側の面に突設されている。
【００２５】
また、蓋体４０の内側面には、前述したバックシャーシ３０の下側の開口２２と対向する位置にフック４６、バックシャーシ３０の側面に形成された凹みに嵌まる突起（(図示せず)）が形成されている。また、蓋体４０は、バックシャーシ３０の端子部２４の膨らみに合わせて側面の一部が凹んだ形状となっている。
【００２６】
上記した電子機器１０において、バックシャーシ３０の上側の開口３１は、開口幅が一様でないように形成されている。より詳細には、蓋体４０を図２のＡ、Ｂ及びＣの順でバックシャーシ３０に装着するときに、図８及び図９、図１０及び図１１に示すようにフック４１が挿入されて通過する空間を第１領域３２、図１２及び前述の図６（図６は、図１２の線ＶＩ−ＶＩに沿う断面図である）に示すように、フック４１が装着されて係止片４４と被係止部３４が係合したときに杆状部材４２が位置することとなる空間を第２領域３３としたときに、第２領域３３は第１領域３２よりも開口幅を広くしている。望ましくは、第２領域３３は、蓋体４０の側面に近い開口縁が、第１領域３２よりも側面側に膨出（図６中αで示す）するように形成する。
【００２７】
第１領域３２は、フック４１の杆状部材４２が若干のクリアランスを持って侵入及び通過可能な開口幅である。これによって、図２のＡに示すように、蓋体４０をバックシャーシ３０に対して斜めに傾けた状態で、図８及び図９に示すように、フック４１を第１領域３２に嵌めると、図９に示すように第１領域３２とフック４１との間の幅方向の隙間が小さいから、フック４１の第１領域３２に対する遊びも小さくなる。その結果、フック４１は第１領域３２に対して幅方向にぐらつくことが抑えられ、傾くことなく真っ直ぐに侵入する。従って、蓋体４０がバックシャーシ３０に対して歪んで位置決めされてしまうことを防ぐことができ、蓋体４０の位置決め精度を高めることができる。
【００２８】
この状態から、図２のＢに示すように、蓋体４０をバックシャーシ３０側に押し込んでいくと、図１０及び図１１に示すように、フック４１は第１領域３２内に深く侵入していく。このとき、上記と同様の理由で、フック４１は第１領域３２に対して遊びが小さいから、蓋体４０がバックシャーシ３０に対して歪んで押し込まれることを防止できる。
【００２９】
さらに、図２のＣに示すように、蓋体４０をバックシャーシ３０側に完全に押し込むと、フック４１は、杆状部材４２が第２領域３３側に移動し、図１２及び図６に示すように、係止片４４が被係止部３４に係合する。また、このとき蓋体４０の内側面の突起がバックシャーシ３０の凹みに嵌まり、掛かり部２３の両側の下側開口２２に他方のフック４６が嵌まる。これによって、蓋体４０はバックシャーシ３０に対して脱落不能に装着されることとなる。
【００３０】
蓋体４０がバックシャーシ３０に装着された状態において、図６及び図７に示すように、フック４１、より具体的には杆状部材４２は第２領域３３に対して幅方向に大きな隙間が形成されている。これにより、たとえ蓋体４０に衝撃が加わったとしても、杆状部材４２は、幅方向に遊びがあるから、杆状部材４２が第２領域３３の開口縁に当たることを防止でき、杆状部材４２の破損を防ぐことができる。
【００３１】
特に、本実施形態では、第２領域３３は、バックシャーシ３０の側縁に近い開口縁が膨出（図６中αで示す）するように形成している。これは、蓋体４０に衝撃が加わったときに、杆状部材４２にはその幅方向外側の位置に、衝撃による荷重が掛かりやすいためである。従って、幅方向外側の位置の遊びを大きくすることで、より効果的に杆状部材４２の破損を防ぐことができる。
【００３２】
上記のように、開口３１について、第１領域３２と第２領域３３の開口幅を変えたことで、蓋体４０はバックシャーシ３０に歪んで装着されることはない。従って、蓋体４０がバックシャーシ３０に対して完全に装着されず、一部が浮いた状態となることを防ぐことができる。特に、バックシャーシ３０と蓋体４０との間に防水パッキンを配備している防水型の電子機器１０において、防水性能を高めることができる利点がある。
【００３３】
なお、蓋体４０をバックシャーシ３０から取り外すには、掛かり部２３にユーザの爪などを挿入し、蓋体４０を引き剥がせばよい。
【００３４】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３５】
たとえば、本実施形態においては、開口３１は、第１領域３２と第２領域３３で異なる開口幅としているが、第１領域３２側から第２領域３３側に向けて徐々に開口幅が拡大するようにしてよい。
【００３６】
また、上記実施形態では、開口３１は２つであるが、１又は３以上とすることもできる。この場合、少なくとも１の開口３１に上記構成を採用すればよい。
【００３７】
さらに、複数の開口を形成する場合には、少なくとも両端に位置する開口３１に上記構成を採用すればよい。
【００３８】
上記実施形態では、蓋体４０は、バックシャーシ３０の背面の略全面を覆っているが、一部のみを覆うものであってもよい。
【符号の説明】
【００３９】
１０  電子機器
２０  筺体
３０  バックシャーシ
３１  開口
３２  第１領域
３３  第２領域
４０  蓋体
４１  フック
４２  杆状部材
４４  係止片
【図１】
2015037090.tif 000003
【図２】
2015037090.tif 000004
【図３】
2015037090.tif 000005
【図４】
2015037090.tif 000006
【図５】
2015037090.tif 000007
【図６】
2015037090.tif 000008
【図７】
2015037090.tif 000009
【図８】
2015037090.tif 000010
【図９】
2015037090.tif 000011
【図１０】
2015037090.tif 000012
【図１１】
2015037090.tif 000013
【図１２】
2015037090.tif 000014